【手続補正書】
【提出日】平成30年1月25日(2018.1.25)
【手続補正１】
【補正対象書類名】特許請求の範囲
【補正対象項目名】全文
【補正方法】変更
【補正の内容】
【特許請求の範囲】
【請求項１】
複数のシートに画像を印刷する印刷動作を実行可能な印刷手段と、
シートを綴じる第１綴じ処理を実行可能な第１の綴じ手段と、
シートを綴じる第２綴じ処理を実行可能な第２の綴じ手段であって、前記第２綴じ処理を実行できるシートの枚数の上限が前記第１の綴じ手段が前記第１綴じ処理を実行できるシートの枚数より少ない第２の綴じ手段と、
前記第２綴じ処理が指定され且つ綴じ処理すべきシートの枚数が前記第２の綴じ手段によって第２綴じ処理を行うことができるシートの枚数の上限を超えている場合に前記第１綴じ処理への切り替えを行わせるか否かを、前記印刷動作の開始に先立って設定する設定部と、
前記第１の綴じ手段および前記第２の綴じ手段を制御する制御手段と、を有し、
前記制御手段は、
前記第２綴じ処理が指定され、且つ、綴じ処理すべきシートの枚数が前記第２の綴じ手段によって前記第２綴じ処理を行うことができるシートの枚数の上限を超えていない場合、前記印刷動作によって印刷されたシートに対して前記第２の綴じ手段に前記第２綴じ処理を実行させ、
前記第２綴じ処理が指定された場合であって、綴じ処理すべきシートの枚数が前記第２の綴じ手段によって第２綴じ処理を行うことができるシートの枚数の上限を超えていて、且つ、前記第１綴じ処理への切り替えを行うように前記設定部に設定されている場合、前記印刷動作によって印刷されたシートに対して前記第１綴じ手段に前記第１綴じ処理を実行させ、
前記第１綴じ処理が指定された場合、前記印刷動作によって印刷されたシートに対して前記第１綴じ手段に前記第１綴じ処理を実行させるように、
前記第１綴じ手段および前記第２の綴じ手段を制御し、
前記第２綴じ処理が指定された場合であって、綴じ処理すべきシートの枚数が前記第２の綴じ手段によって第２綴じ処理を行うことができるシートの枚数の上限を超えていて、且つ、前記第１綴じ処理への切り替えを行わないように前記設定部に設定されている場合、シートに対して前記第１綴じ手段は前記第１綴じ処理を実行しないことを特徴とする画像処理装置。
【請求項２】
前記制御手段は、前記第１の綴じ手段によって綴じ処理を行うことが指定された場合は、綴じ処理すべきシートの枚数が前記第２の綴じ手段によって綴じることが可能な枚数を超えていない場合であっても、前記印刷動作によって印刷されたシートに対して前記第１の綴じ手段に前記第１綴じ処理を実行させることを特徴とする請求項１に記載の画像処理装置。
【請求項３】
前記第２綴じ処理が指定された場合であって、綴じ処理すべきシートの枚数が前記第２の綴じ手段によって第２綴じ処理を行うことができるシートの枚数の上限を超えていて、且つ、前記第１綴じ処理への切り替えを行わないように前記設定部に設定されている場合、前記印刷動作によって印刷された、前記第１綴じ手段による前記第１綴じ処理が実行されていないシートを機外へ出力することを特徴とする請求項１又は２に記載の画像処理装置。
【請求項４】
前記第２綴じ処理が指定された場合であって、綴じ処理すべきシートの枚数が前記第２の綴じ手段によって第２綴じ処理を行うことができるシートの枚数の上限を超えていて、且つ、前記第１綴じ処理への切り替えを行わないように前記設定部に設定されている場合、前記第２の綴じ手段によってシートを分冊して綴じるように制御することを特徴とする請求項１又は請求項２に記載の画像処理装置。
【請求項５】
前記印刷手段は、ジョブに基づいてシートに画像を印刷し、
前記制御手段は、綴じ処理すべきシートの枚数が前記第２の綴じ手段によって綴じることが可能な枚数を超えている場合に、前記ジョブの印刷設定に基づいて前記第１の綴じ手段によってシートを綴じるか否かを決定することを特徴とする請求項１又は請求項２に記載の画像処理装置。
【請求項６】
前記印刷手段は、ジョブに基づいてシートに画像を印刷し、
前記制御手段は、前記設定手段による設定及び、前記ジョブの印刷設定に基づいて前記第１の綴じ手段によってシートを綴じるか否かを決定することを特徴とする請求項３又は４に記載の画像処理装置。
【請求項７】
前記制御手段は、前記ジョブの印刷設定に基づいて前記第１の綴じ手段によってシートを綴じるか否かを決定する場合は、少なくとも前記印刷設定のシート種別が感圧紙であれば、前記第１の綴じ手段によってシートを綴じないと決定することを特徴とする請求項５又は請求項６に記載の画像処理装置。
【請求項８】
前記制御手段は、前記ジョブの印刷設定に基づいて前記第１の綴じ手段によってシートを綴じるか否かを決定する場合は、少なくとも前記印刷設定の後処理にグループソートが設定されていれば、前記第１の綴じ手段によってシートを綴じないと決定することを特徴とする請求項５乃至請求項７のいずれか１項に記載の画像処理装置。
【請求項９】
前記制御手段は、綴じ処理すべきシート枚数が前記第１の綴じ手段によって綴じることができるシートの枚数を超えている場合は、前記第１の綴じ手段による綴じ処理を行わないように制御することを特徴とする請求項１乃至請求項８のいずれか１項に記載の画像処理装置。
【請求項１０】
前記第１の綴じ手段が実行する第１綴じ処理は、針を使用してシートを綴じる処理であり、
前記第２の綴じ手段が実行する第２綴じ処理は、針を使用せずにシートを綴じる処理であることを特徴とする請求項１乃至請求項９のいずれか１項に記載の画像処理装置。
【請求項１１】
前記第２の綴じ手段は、凹凸が形成された１対の部材を含み、
前記第２の綴じ手段が行う前記第２綴じ処理は、前記１対の部材によって挟まれたシートを前記１対の部材によって加圧して綴じる処理であることを特徴とする請求項１０に記載の画像処理装置。
【請求項１２】
前記設定部への設定は、前記プリント動作の設定とは独立に行われることを特徴とする請求項１乃至１１のいずれか１項に記載の画像処理装置。
【請求項１３】
前記第２綴じ処理が指定された場合であって、綴じ処理すべきシートの枚数が前記第２の綴じ手段によって前記第２綴じ処理を行うことできるシートの枚数の上限を超えていて、且つ、前記第１綴じ処理への切り替えを行うように前記設定部に設定されている場合、前記印刷動作が開始されてから前記設定部へのユーザの操作なしに、前記第１綴じ手段は前記印刷動作によって印刷されたシートに対して前記第１綴じ処理を実行することを特徴とする請求項１乃至１２のいずれか１項に記載の画像処理装置。
【請求項１４】
複数のシートに画像を印刷する印刷動作を実行する印刷手段と、
前記印刷動作によって画像が印刷されたシートを綴じる第１の綴じ手段と、
前記印刷動作によって画像が印刷されたシートを綴じる第２の綴じ手段と、
ユーザの指示を受け付ける受付部と、
前記第１の綴じ手段および前記第２の綴じ手段を制御する制御手段と、を有し、
前記第１の綴じ手段は、針を用いてシートを綴じる第１綴じ処理を実行でき、
前記第２の綴じ手段は、第１部材と第２部材と含み、第前記１部材と前記第２部材の間のシートを前記第１部材と前記第２部材とによって加圧して綴じる第２綴じ処理を実行でき、
前記第２綴じ処理を実行できるシートの枚数の上限は、前記第１の綴じ手段が前記第１綴じ処理を実行できるシートの枚数より少なく、
前記第２綴じ処理が指定された場合であって且つ綴じ処理すべきシートの枚数が前記第２の綴じ手段によって第２綴じ処理を行うことができるシートの枚数の上限を超えている場合に行われる前記第１綴じ処理への切り替えを行うか行わないかの選択をするための画面を、前記印刷動作の開始に先立って前記受付部は表示でき、
前記制御部は、
前記第２綴じ処理が指定され、且つ、綴じ処理すべきシートの枚数が前記第２の綴じ手段によって前記第２綴じ処理を行うことができるシートの枚数の上限を超えていない場合、前記印刷動作によって印刷されたシートに対して前記第２の綴じ手段に前記第２綴じ処理を実行させ、
前記第２綴じ処理が指定され、且つ、綴じ処理すべきシートの枚数が前記第２の綴じ手段によって第２綴じ処理を行うことができるシートの枚数の上限を超えた場合であって、前記第１綴じ処理への切り替えを行うように前記受付部の画面を介して選択されていた場合、前記印刷動作によって印刷されたシートに対して前記第１綴じ手段に前記第１綴じ処理を実行させ、
前記第１綴じ処理が指定された場合、前記印刷動作によって印刷されたシートに対して前記第１綴じ手段に前記第１綴じ処理を実行させるように、
前記第１の綴じ手段および前記第２の綴じ手段を制御し、
前記第２綴じ処理が指定され、且つ、綴じ処理すべきシートの枚数が前記第２の綴じ手段によって第２綴じ処理を行うことができるシートの枚数の上限を超えた場合であって、前記第１綴じ処理への切り替えを行わないように前記受付部の画面を介して選択されていた場合、シートに対して前記第１綴じ手段は前記第１綴じ処理を実行しないことを特徴とする画像処理装置。
【請求項１５】
複数のシートに画像を印刷する印刷動作を実行可能な印刷手段と、シートを綴じる第１綴じ処理を実行可能な第１の綴じ手段と、シートを綴じる第２綴じ処理を実行可能な第２の綴じ手段であって、前記第２綴じ処理を実行できるシートの枚数の上限が前記第１の綴じ手段が前記第１綴じ処理を実行できるシートの枚数より少ない第２の綴じ手段と、を備える画像処理装置の制御方法であって、
前記第２綴じ処理が指定され且つ綴じ処理すべきシートの枚数が前記第２の綴じ手段によって第２綴じ処理を行うことができるシートの枚数の上限を超えている場合に前記第１綴じ処理への切り替えを行わせるか否かを、前記印刷動作の開始に先立って設定する設定工程と、
前記第２綴じ処理が指定され、且つ、綴じ処理すべきシートの枚数が前記第２の綴じ手段によって前記第２綴じ処理を行うことができるシートの枚数の上限を超えていない場合、前記印刷動作によって印刷されたシートに前記第２の綴じ手段に前記第２綴じ処理を実行させ、
前記第２綴じ処理が指定され、綴じ処理すべきシートの枚数が前記第２の綴じ手段によって第２綴じ処理を行うことができるシートの枚数の上限を超えていて、且つ、前記第１綴じ処理への切り替えを行うように前記設定部に設定されている場合、前記印刷動作によって印刷されたシートに対して前記第１綴じ手段に前記第１綴じ処理を実行させ、
前記第１綴じ処理が指定された場合、前記印刷動作によって印刷されたシートに対して前記第１綴じ手段に前記第１綴じ処理を実行させ、
前記第２綴じ処理が指定された場合であって、綴じ処理すべきシートの枚数が前記第２の綴じ手段によって第２綴じ処理を行うことができるシートの枚数の上限を超えていて、且つ、前記第１綴じ処理への切り替えを行わないように前記設定部に設定されている場合、シートに対して前記第１綴じ手段は前記第１綴じ処理を実行しないように、
前記第１の綴じ手段および前記第２の綴じ手段を制御する制御工程と、
を備えることを特徴とする画像処理装置の制御方法。
【請求項１６】
請求項１５に記載の画像処理装置の制御方法をコンピュータに実行させるためのプログラム。
【手続補正２】
【補正対象書類名】明細書
【補正対象項目名】００１０
【補正方法】変更
【補正の内容】
【００１０】
上記の目的を達成するために本発明の画像処理装置は、複数のシートに画像を印刷する印刷動作を実行可能な印刷手段と、シートを綴じる第１綴じ処理を実行可能な第１の綴じ手段と、シートを綴じる第２綴じ処理を実行可能な第２の綴じ手段であって、前記第２綴じ処理を実行できるシートの枚数の上限が前記第１の綴じ手段が前記第１綴じ処理を実行できるシートの枚数より少ない第２の綴じ手段と、前記第２綴じ処理が指定され且つ綴じ処理すべきシートの枚数が前記第２の綴じ手段によって第２綴じ処理を行うことができるシートの枚数の上限を超えている場合に前記第１綴じ処理への切り替えを行わせるか否かを、前記印刷動作の開始に先立って設定する設定部と、前記第１の綴じ手段および前記第２の綴じ手段を制御する制御手段と、を有し、前記制御手段は、前記第２綴じ処理が指定され、且つ、綴じ処理すべきシートの枚数が前記第２の綴じ手段によって前記第２綴じ処理を行うことができるシートの枚数の上限を超えていない場合、前記印刷動作によって印刷されたシートに前記第２の綴じ手段に前記第２綴じ処理を実行させ、前記第２綴じ処理が指定され、綴じ処理すべきシートの枚数が前記第２の綴じ手段によって第２綴じ処理を行うことが許可されるシートの枚数の上限を超えていて、且つ、前記第１綴じ処理への切り替えを行うように前記設定部に設定されている場合、前記印刷動作によって印刷されたシートに対して前記第１綴じ手段に前記第１綴じ処理を実行させ、前記第１綴じ処理が指定された場合、前記印刷動作によって印刷されたシートに対して前記第１綴じ手段に前記第１綴じ処理を実行させるように、前記第１の綴じ手段および前記第２の綴じ手段を制御し、前記第２綴じ処理が指定された場合であって、綴じ処理すべきシートの枚数が前記第２の綴じ手段によって第２綴じ処理を行うことが許可されるシートの枚数の上限を超えていて、且つ、前記第１綴じ処理への切り替えを行わないように前記設定部に設定されている場合、シートに対して前記第１綴じ手段は前記第１綴じ処理を実行しないことを特徴とする。